(57)【特許請求の範囲】
【請求項１】
ボルトまたはナットを保持する保持部と、
前記保持部に接続され該保持部を吊下しうる吊着部とを備え、
前記保持部は、
ボルトまたはナットを回転不能に挿入しうる有底穴を有する基体と、
ボルトまたはナットを回転不能に挿入しうる貫通穴を有するシャッターと、
前記有底穴と前記貫通穴との中心軸を一致させた状態で前記シャッターと前記基体とを相対的に回転させる回転機構と、
を有することを特徴とする落下防止具。
【請求項２】
前記有底穴および前記貫通穴は多角形であって、
前記回転機構は、前記有底穴と前記貫通穴の多角形の角部がずれた位相に向かって付勢する付勢手段を有していることを特徴とする請求項１記載の落下防止具。
【請求項３】
前記回転機構は、
前記基体の有底穴の外周面たる円柱部と、
前記シャッターに固定されるスリーブと、
前記スリーブを前記円柱部に回転可能に冠着した状態を保持する係止部とを有することを特徴とする請求項１記載の落下防止具。
【請求項４】
前記吊着部は、前記保持部に対して回転可能に接続されていることを特徴とする請求項１記載の落下防止具。
【発明の詳細な説明】
【技術分野】
【０００１】
本発明は、主として高所作業においてボルトまたはナットの落下を防止するための落下防止具に関する。
【背景技術】
【０００２】
鉄塔及び構造物の組立作業や補修作業、電柱の装柱の着脱作業などのように高所で作業する場合には、ボルトやナット、部材などの資材を落下させてしまうと、部材等の損傷や遺失を招き、また下方にある建築物や構造物、車輌に損傷を与えるおそれがある。特に鉄塔や電柱において作業をする場合、厚い絶縁手袋を着用して作業する場合が多い。するとボルトやナットのような小さなものは把持しにくく、取り落としてしまう可能性もある。
【０００３】
施工用地に余裕があれば、資材の落下が想定される範囲に作業区画を設定し、下方に何もない状態とすることにより、資材が落下しても支障がない状態にできる場合もある。しかし必ずしも十分な作業区画を確保できるとは限らず、また物置などの構造物は容易には動かすことができない。そのため、そもそも落下させないための落下防止対策が必要となる。
【０００４】
現状において多く実施されている落下防止対策として、作業位置の直下に収納用の工具袋を設置（吊下）し、万が一資材を落下させた場合には工具袋内に落下するようにしている。また鉄塔などの躯体に槍出しの支柱を設け、この支柱に網を張った落下防止網を使用することも行われている。
【０００５】
また特許文献１（特開２００５−２８７１６８）には、ボルトのネジ山を挟み込んでボルトを保持する挟持体を備え、ナットを交換する際にボルトに装着してボルトの落下を防止する落下防止金具が開示されている。特許文献１によれば、ボルトの抜け落ちに起因する電線の落下を防止し、腐蝕したナットの交換を容易に行うことができるとしている。
【特許文献１】特開２００５−２８７１６８号公報
【発明の開示】
【発明が解決しようとする課題】
【０００６】
しかし上記従来の落下防止対策において、工具袋を用いる場合には、作業位置は頻繁に変わるため、そのたびに工具袋を設置し直す作業がわずらわしいという問題がある。また工具袋を設置しようとした場合に、高所では設置できる場所が極めて限られるため、作業位置の直下に設置できない場合もある。さらには、風にあおられて工具袋が安定しない場合もあり、かならずしも落下資材を捕集できるとは限らない。また落下防止対策として槍出しの落下防止網を用いる場合、落下した資材が網で跳ねて外部に飛び出してしまう場合があり、捕集の確実性は必ずしも高くない。また、作業箇所の四方を網で囲う方法もあるが、コストと手間がかかるという問題がある。
【０００７】
特許文献１に記載の構成はボルトの抜け落ちには有効である。しかし、ボルトやナットを着脱するときにこれを保持することはできず、これらを取り落とした場合に落下を防止することはできない。
【０００８】
そこで本発明は、ボルトやナットを保持し、かつ保持した状態でこれらを螺合させることを可能とすることにより、落下を確実に防止することのできる落下防止具を提供することを目的としている。
【課題を解決するための手段】
【０００９】
上記課題を解決するために、本発明にかかる落下防止具の代表的な構成は、ボルトまたはナットを保持する保持部と、保持部に接続され保持部を吊下しうる吊着部とを備え、保持部は、ボルトまたはナットを回転不能に挿入しうる有底穴を有する基体と、ボルトまたはナットを回転不能に挿入しうる貫通穴を有するシャッターと、有底穴と貫通穴との中心軸を一致させた状態でシャッターと基体とを相対的に回転させる回転機構と、を有することを特徴とする。有底穴および貫通穴の開口形状は、ボルト頭またはナットを回転不能に挿入できればよく、例えば円孔の内部に、ボルト頭またはナットの多角形の角部に対応する溝が形成されていてもよい。
【００１０】
上記構成によれば、ボルトまたはナットは有底穴に回転不能に収納される。そしてシャッターと基体とを相対的に回転させ、シャッターの貫通穴と基体の有底穴の位相がずれることにより、ボルト頭またはナットを有底穴の内部に保持することができる。そして吊着部を作業員の体や周囲の構造物に連結することにより、万が一作業員が保持部を取り落としたとしても、ボルトまたはナットは吊下されるため、その落下を防ぐことができる。
【００１１】
また保持部がボルトまたはナットをネジ部が露出した状態で保持することになるため、保持したままの状態で保持部を回転させることにより、ボルトとナットとを螺合させることができる。すなわち、本発明にかかる落下防止具を２つ用いて、一方の落下防止具にはボルトを保持させ、他方の落下防止具にはナットを保持させた状態である程度まで螺合させることにより、常にボルトとナットとは何らかの形で保持されており、落下する場合がない。これらのことから、落下を確実に防止することができる。
【００１２】
また有底穴および貫通穴は多角形であって、回転機構は、有底穴と貫通穴の多角形の角部がずれた位相に向かって付勢する付勢手段を有していてもよい。
【００１３】
これにより、作業員が手を離した状態では基体の有底穴とシャッターの貫通穴の位相がずれており、ボルト頭またはナットを有底穴の内部に保持する状態となる。これにより、作業員が保持部を取り落とした場合であっても、より確実に落下を防止することができる。
【００１４】
回転機構は、基体の有底穴の外周面たる円柱部と、シャッターに固定されるスリーブと、スリーブを円柱部に回転可能に冠着した状態を保持する係止部とを有していてもよい。回転機構の具体的な構成の例である。上記構成によれば、有底穴と貫通穴とを容易に同一中心軸上で回転させることができる。
【００１５】
吊着部は、保持部に対して回転可能に接続されていることが好ましい。これにより、作業員が保持部を回転させてボルトとナットとを螺合させる際に、吊着部がその回転の支障となることを防止することができる。
【発明の効果】
【００１６】
本発明にかかる落下防止具によれば、ボルトやナットを保持し、かつ保持した状態で螺合させることを可能としたことにより、これらの落下を確実に防止することができる。
【発明を実施するための最良の形態】
【００１７】
本発明にかかる落下防止具の実施例について説明する。なお、以下の実施例に示す寸法、材料、その他具体的な数値などは、発明の理解を容易とするための例示に過ぎず、特に断る場合を除き、本発明を限定するものではない。
【００１８】
図１は落下防止具の全体構成を説明する図である。図に示す落下防止具１０は、ボルト２０の頭２１またはナット３０を保持する保持部１００と、保持部１００を吊下しうる吊着部２００とから構成されている。また本実施形態においては２つの落下防止具１０をコイルストラップ４０にまとめて接続している。
【００１９】
図２は保持部１００を説明する図であって、図２（ａ）は保持部の分解側面断面図、図２（ｂ）は回転機構を説明する図、図２（ｃ）は保持部の外観斜視図である。図３はボルトまたはナットを保持した状態を示す図であって、図３（ａ）はボルト頭２１を保持した状態を示す図、図３（ｂ）はナットを収納した状態を示す図である。
【００２０】
図２（ａ）に示すように、保持部１００は、有底穴１１２を有する基体１１０と、スリーブ１３０と、貫通穴１５２を有するシャッター１５０とを備えている。
【００２１】
基体１１０は、有底穴１１２の外周面に円柱部１１４を有している。また有底穴１１２の後方には円筒部１１６を有し、その外周面にローレット加工された把持部１１６ａを形成している。また有底穴１１２の底面、すなわち基体１１０の背面側中央部には、吊着部２００を回転可能に接続するための回転継手１０８が設けられている。
【００２２】
シャッター１５０の外周面には、ローレット加工された把持部１５０ａを形成している。したがって、作業員は手袋をしたままであっても容易にシャッター１５０と基体１１０とを相対的に回転させることができる。なお、ボルト頭２１またはナット３０を貫通穴１５２に挿入し、基体１１０とボルト頭２１またはナット３０とをひねることにより、シャッター１５０を回転させることも可能である。
【００２３】
図２（ｂ）に示すように、有底穴１１２および貫通穴１５２は本実施形態においていずれも開口形状が六角形となっており、ボルト頭２１またはナット３０を回転不能に挿入することができる。シャッター１５０は、有底穴１１２と貫通穴１５２との中心軸を一致させた状態で基体１１０に対して相対的に回転可能となっている。そして、有底穴１１２と貫通穴１５２の位相が一致した状態において、有底穴１１２までボルト頭２１またはナット３０を挿入することができる。
【００２４】
そしてシャッターと基体とを相対的に回転させ、シャッターの貫通穴と基体の有底穴の位相がずれることにより、ボルト頭またはナットを有底穴の内部に保持することができる。そして吊着部を作業員の体や周囲の構造物に連結することにより、万が一作業員が保持部を取り落としたとしても、ボルトまたはナットは吊下されるため、その落下を防ぐことができる。
【００２５】
ここで有底穴１１２の深さは、ボルト頭２１またはナット３０を内包するに十分な深さであればよい。貫通穴１５２の深さ（シャッター１５０の厚み）に制限はないが、深い必要がないため、強度を維持できる範囲において浅い（薄い）方が軽量化の観点から好ましい。
【００２６】
有底穴および貫通穴の開口形状は、ボルト頭またはナットを回転不能に挿入できればよく、例えば円孔の内部に、ボルト頭またはナットの多角形の角部に対応する溝が形成されていてもよい。
【００２７】
次に、回転機構について説明する。スリーブ１３０は、円柱部１１４に冠着され、摺動することにより回転可能になっている。またスリーブ１３０はシャッター１５０に固定され、これによりシャッターが円柱部１１４に対して回転可能となっている。そして有底穴１１２と円柱部１１４の中心は一致しており、貫通穴１５２とシャッター１５０の中心は一致して形成されている。これらのことから、有底穴１１２と貫通穴１５２とは、同一中心軸上で回転する。
【００２８】
図２（ｂ）に示すように、スリーブ１３０には長穴１３２が形成されており、円柱部１１４に立設されるピン１３４の先端が長穴１３２内に位置するように配置する。すなわちピン１３４と長穴１３２とは、スリーブ１３０を円柱部１１４に回転可能に冠着した状態を保持する係止部として機能する。またピン１３４と長穴１３２は、基体１１０とシャッター１５０との相対的な回転可動範囲を決定する規定部としても機能する。
【００２９】
また円柱部１１４およびスリーブ１３０には、それぞれバネ掛けピン１３６、１３８を設け、付勢手段の例としての引張バネ１４０を掛け渡している。引張バネ１４０の付勢力と、そしてピン１３４と長穴によって規定される可動範囲により、スリーブ１３０（ひいてはシャッター１５０）は、有底穴１１２と貫通穴１５２の多角形の角部がずれた位相に向かって付勢される。
【００３０】
これにより、図２（ｃ）に示すように、作業員が手を離した状態では基体１１０の有底穴１１２とシャッター１５０の貫通穴１５２の位相がずれた状態となり、ボルト頭２１またはナット３０を有底穴１１２の内部に保持する状態となる。これにより、作業員が保持部を取り落とした場合であっても、より確実に落下を防止することができる。
【００３１】
上記構成によれば、図３（ａ）に示すように、ボルト２０の雄ネジ部２２は保持部１００に保持された状態において貫通穴１５２から突出する。また図３（ｂ）に示すように、ナット３０の雌ネジ部３１は、保持部１００に保持された状態において貫通穴１５２内に露出する。したがっていずれも、保持したままの状態で保持部１００を把持して回転させることにより、ボルト２０とナット３０とを螺合させることができる。すなわち、本発明にかかる落下防止具を２つ用いて、一方の落下防止具にはボルトを保持させ、他方の落下防止具にはナットを保持させた状態である程度まで螺合させることにより、常にボルトとナットとは何らかの形で保持されており、落下する場合がない。これらのことから、落下を確実に防止することができる。
【００３２】
吊着部２００は、図１に示すように保持部１００を作業員の体や周囲の構造物に連結するための索体であって、本実施形態では両端にループを形成したワイヤーによって構成している。吊着部２００の一端は保持部１００に取り付けた回転継手１０８に接続し、他端はコイルストラップ４０のリング４１に取り付けている。索体としてはワイヤーのほか、紐やベルト、鎖などを用いることができる。
【００３３】
コイルストラップ４０は、吊着部２００を取り付けるリング４１をコイルワイヤー４２の一端に取り付け、他端にナスカン４３を取り付けている。本実施形態においてリング４１には２つの落下防止具１０を接続し、一対の落下防止具１０にそれぞれボルト２０とナット３０とを保持して、着脱作業を行う構成となっている。
【００３４】
コイルワイヤー４２を伸縮可能な構成とすることにより、作業員の可動範囲を拡大し、ボルト２０とナットの着脱作業を容易にすることができる。コイルワイヤーの他には、繰り出し可能な巻き取り式のワイヤーなども好適に利用することができる。ナスカン４３はこれに限定するものではなく、作業員の体（安全ベルト等）や周囲の構造物に取り付け可能であればよい。したがって例えばカラビナやフックなどのような掛止部としたり、ループを形成して作業員の手首などに取り付けたり、磁石を取り付けて鉄塔に貼着させることでもよい。
【００３５】
なお本実施形態においては、落下防止具１０の吊着部２００をコイルストラップ４０に接続し、コイルストラップ４０を作業員等に取り付ける構成であることから、落下防止具１０は間接的に作業員に取り付けているということができる。しかし吊着部２００の先端（保持部１００と反対側）を直接作業員等に取り付ける係止部などを設けてもいいことはいうまでもなく、直接的であるか間接的であるかに技術的な差異はない。
【００３６】
上記構成の落下防止具１０を用いた高所作業の手順について説明する。まずボルト２０を取り付ける場合には、作業員はコイルストラップ４０のナスカン４３を自分の体の安全ベルトなどに取り付け、一方の落下防止具１０にボルト頭２１を保持させ、他方の落下防止具１０にナット３０を保持させる。これにより、万が一作業員が保持部（ボルト２０やナット３０）を取り落としたとしても、ボルト２０またはナット３０は吊着部２００によって吊下されるため、その落下を防ぐことができる。
【００３７】
そしてボルト２０を取り付けるべき場所に挿入し、その先端にナット３０を螺合させる。このとき保持部１００がボルト２０またはナット３０をネジ部（雄ネジ部２２、雌ネジ部３１）が露出した状態で保持していることにより、保持したままの状態でこれらを螺合させることができる。なお螺合は保持部１００ごと回転させるが、回転継手１０８の作用によって円滑に回転させることができる。ボルト２０とナット３０とは、３山ほども螺合させれば、もはや脱落することはない。そして両方の保持部１００を取り外し、レンチを用いてボルト２０とナット３０とを締め付けることにより、取り付ける作業を完了する。
【００３８】
次にボルトを取り外す場合には、作業員はまずレンチを用いてボルト２０とナット３０とを緩め、雄ネジ部２２先端がナット３０に入り込む程度の位置まで回転させる。そしてボルト頭２１とナット３０とに２つの落下防止具１０の保持部１００を取り付け、保持部１００ごと回転させて分離させる。そして工具袋の中において保持部１００からボルト２０またはナット３０を取り出して、取り外す作業を完了する。
【００３９】
上記説明した如く、ボルト２０とナット３０とは常に何らかの形で保持されており、手を離しても落下する場合がない。これらのことから、落下を確実に防止することができる。
【００４０】
［他の実施形態］
上記実施形態においては、スリーブ１３０の外周面に長穴１３２が露出した構成として説明した。これに対し図４は保持部１００の他の構成例を示す図であって、スリーブ１３０の外側に、さらに外装リング１６０を配置している。外装リング１６０は１１０の円筒部１１６やシャッター１５０と外径を揃えることにより、特段の固定を要しない。このように構成することにより、砂などの異物が回転機構に混入することを防止し、また作業員に対してメンテナンスフリーとすることができる。
【００４１】
図５は保持部に連結された索体を作業員の体に連結するための他の構成を示す図である。上記実施形態においては、索体である吊着部２００はコイルストラップ４０のリング４１に取り付け、コイルストラップのナスカン４３を作業員の体（例えば安全ベルト）に連結すると説明した。
【００４２】
これに対し図５においては、吊着部２００は作業員の手首に取り付けるためのリストバンド３００に接続されている。リストバンド３００は面ファスナ３０２を備え、作業員の手首を巻回させた状態で固定可能に構成されている。このように構成したことにより吊着部２００を短くすることができ、作業員の取り回しが向上する。また、万が一作業員が保持部１００を取り落としたとしても保持部１００は手に近いところに吊下されるため、作業の続行を容易にすることができる。
【００４３】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４４】
例えば、上記説明および図面においては六角ボルトおよび六角ナットを説明に用いているが、四角ボルトや八角ボルト、六角穴ボルトなども対象とすることができる。
【産業上の利用可能性】
【００４５】
本発明は、主として高所作業におけるボルトまたはナットの落下防止具として利用することができる。
【図面の簡単な説明】
【００４６】
【図１】落下防止具の全体構成を説明する図である。
【図２】保持部を説明する図である。
【図３】ボルトまたはナットを保持した状態を示す図である。
【図４】保持部の他の構成例を示す図である。
【図５】保持部に連結された索体を作業員の体に連結するための他の構成を示す図である。
【符号の説明】
【００４７】
１０…落下防止具、１００…保持部、１０２…筒体、１０４…開口端、１０６…壁面、１０８…回転継手、１１０…基体、１１２…有底穴、１１４…円柱部、１１６…円筒部、１１６ａ…把持部、１３０…スリーブ、１３２…長穴、１３４…ピン、１３６…バネ掛けピン、１３８…バネ掛けピン、１４０…引張バネ、１５０…シャッター、１５０ａ…把持部、１５２…貫通穴、１６０…外装リング、２０…ボルト、２００…吊着部、２１…頭、２２…雄ネジ部、３０…ナット、３１…雌ネジ部、４０…コイルストラップ、４１…リング、４２…コイルワイヤー、４３…ナスカン、３００…リストバンド
【図１】
0004654226.tif 000002
【図２】
0004654226.tif 000003
【図３】
0004654226.tif 000004
【図４】
0004654226.tif 000005
【図５】
0004654226.tif 000006